(57)【要約】  【課題】  大きな空間を必要とせず、簡単な構造でスターリング冷凍機の低温部及び高温部を確実に断熱することができ、発露を防止することができる該スターリング冷凍機を配置する機械室を備えた冷却庫を提供する。  【解決手段】  冷却室１１（１２）と、機械室１３とを有するキャビネット１と、機械室１３に配設されるスターリング冷凍機２と、スターリング冷凍機２の低温部２１に接続される二次冷媒循環回路３とを有しており、低温部２１と、二次冷媒循環回路３の少なくとも凝縮器３１はキャビネット１の断熱層１４の内部に配置される冷却庫Ａ。【選択図】      図１
2005308359.tif 000002
【特許請求の範囲】
【請求項１】
冷却対象物を収容する冷却室と、該冷却室と断熱壁で仕切られている機械室とを有するキャビネットと、
前記機械室に配設されるスターリング冷凍機と、
前記スターリング冷凍機の低温部に接続され、該低温部で発生する冷熱を蒸発器に搬送する二次冷媒循環回路とを有しており、
前記低温部と、該低温部と熱交換し前記二次冷媒循環回路を構成する凝縮器とを、前記キャビネットを構成する断熱層にて断熱したことを特徴とする冷却庫。
【請求項２】
前記低温部と前記凝縮器とを、発泡性の断熱材を一体発泡して成型される前記キャビネットの断熱層内部に埋設したことを特徴とする請求項１に記載の冷却庫。
【請求項３】
前記低温部と凝縮器とを空気層を介して断熱するものにおいて、前記スターリング冷凍機が前記キャビネットの断熱層を貫いている部分には吸振性を有するシール部材が取り付けられていることを特徴とする請求項１に記載の冷却庫。
【請求項４】
前記キャビネットの断熱層の前記スターリング冷凍機が貫いている部分または近傍には加熱手段が設置されていることを特徴とする請求項１から請求項３のいずれかに記載の冷却庫。
【請求項５】
前記加熱手段は前記スターリング冷凍機の高温部と熱交換する熱交換器であることを特徴とする請求項４に記載の冷却庫。
【発明の詳細な説明】
【技術分野】
【０００１】
本発明は、スターリング冷凍機の低温部で発生した冷熱を冷却室に搬送することで、該冷却室を冷却する冷却庫に関するものである。
【背景技術】
【０００２】
最近、逆スターリング冷凍サイクルが注目されている。前記逆スターリング冷凍サイクルはその作動ガスとして、ヘリウムガス、水素ガス、窒素ガス等の地球環境に悪影響を与えないガスを採用している。この逆スターリング冷凍サイクルを用いたスターリング冷凍機は、極低温レベルの寒冷を発生させることができる小型冷凍機の１つとして知られている。
【０００３】
前記スターリング冷凍機は、冷却庫のキャビネットの機械室に配置されており、ウォームセクションと呼ばれる高温部とコールドヘッドと呼ばれる低温部とを備えている。冷却庫の冷却システム装置としてスターリング冷凍機を用いる場合、前記低温部は表面積が小さいので、該低温部の冷熱を利用する場所(蒸発器)へ効率よく搬送することが重要である。
【０００４】
前記スターリング冷凍機で発生した冷熱を蒸発器へ搬送する方法として、低温部で発生する冷熱を前記蒸発器に搬送する二次冷媒循環回路が用いられる。
【０００５】
図８に従来の冷却庫の一例の断面図を示す。図８に示す冷却庫Ｃは、キャビネット９１と、スターリング冷凍機９２と、スターリング冷凍機９２で発生した冷熱を冷却庫内部に搬送する二次冷媒循環回路９３と、スターリング冷凍機９２で発生した温熱を冷却庫外部に搬送する高温側冷媒循環回路９４とを有している。キャビネット９１には冷却対象物を収容する冷却室９１１と、冷却室９１１に隣接して配置された蒸発器収容室９１２と、スターリング冷凍機９２を配置する機械室９１３とを有している。
【０００６】
スターリング冷凍機９２は、冷熱を発生する低温部９２１と、温熱を発生する高温部９２２とを有している。低温部９２１には冷熱を搬送する二次冷媒循環回路９３が接続されており、高温部９２２には温熱を搬送する高温側冷媒循環回路９４が接続している。スターリング冷凍機９２は防振部材９５を介して機械室９１３に設置される。
【０００７】
前記二次冷媒循環回路９３は、スターリング冷凍機９２の低温部９２１に取り付けられた凝縮器９３１と蒸発器収容室９１２内の蒸発器９３２とが冷媒配管９３３で接続されている。二次冷媒が封入された二次冷媒循環回路９３は二次冷媒の相変化を利用したサーモサイフォン型の自然循環回路となっている。
【０００８】
前記自然循環回路二次冷媒循環回路９３内の二次冷媒は、前記スターリング冷凍機９２の低温部９２１に接触している凝縮器９３１で冷却され液化し冷媒配管９３３を流下し蒸発器９３２に流入する。蒸発器９３２に流入した液状の二次冷媒は蒸発器９３２を通過するときに熱交換を行い蒸気へと変化する。
【０００９】
蒸気となった二次冷媒は蒸気が上昇する現象、蒸気が液体に相変化するとき及び液状の二次冷媒が流下するときに生じる圧力差によって吸引されて上昇し凝縮器９３１に流入する。以上の二次冷媒の相変化及び流動を繰り返すことで、低温部の冷熱を連続して蒸発器収容室９１２内の蒸発器９３２に搬送することができる。この自然循環回路はサーモサイフォンによる自然循環を利用しており、循環ポンプ等の冷媒を強制循環させるための装置は不要であり、それだけ、省エネルギ化が可能である。
【００１０】
また、高温側冷媒循環回路９４は二次冷媒循環回路９３と同様に、蒸発器９４１と、凝縮器９４２と、冷媒配管９４３とを有している。蒸発器９４１はスターリング冷凍機９２の高温部９２２に取り付けられており、凝縮器９４２は蒸発器９４１の上部に配置される。蒸発器９４１、凝縮器９４２及び冷媒配管９４３はループ型サーモサイフォンを構成している。高温側自然循環回路９４の内部には冷媒（ここでは水）が充填されている。
【００１１】
蒸発器９４１において、高温部９２２で発生した温熱が冷媒に伝達される。そして、熱を吸収した冷媒は蒸発して蒸気となり冷媒配管９４３を通じて凝縮器９４２へと搬送され、凝縮器９４１によって冷媒の熱が大気に放熱される。その後、放熱し、冷却された冷媒は液化して冷媒配管９４３を通じて蒸発器９４１に循環される。以上の動作を繰り返すことで、高温側自然循環回路９４はスターリング冷凍機９２の高温部９２２で発生する温熱をスターリング冷却庫Ｃの外部に放出する。
【特許文献１】特開２００２-２３５９６３号公報
【発明の開示】
【発明が解決しようとする課題】
【００１２】
図８に示しているようにフリーピストン型スターリング冷凍機９２はその構造上、低温部９２１と高温部９２２とが近接して配置されており、低温部９２１は高温部９２２より発生する温熱により加熱されて昇温してしまい、スターリング冷凍機９２の冷却能力が低下してしまう。そのためスターリング冷凍機９２の冷却能力の低下を防止するために図８に示す如く、低温部９２１を断熱部材９２３で覆う方法が考えられる。低温部９２１を断熱部材９２３で覆ってしまえば、高温部９２２より発生する温熱の影響を防止することができる。
【００１３】
しかしながら、十分な断熱効果を有する断熱部材で覆う構造を採用すると、断熱部材の部品コスト、断熱部材を覆う組立てコストが必要な上、断熱部材が占める空間が必要であり設計の自由度が低下したり冷却庫の有効内容積が小さくなるおそれがある。
【００１４】
そこで本発明は、構造が簡単で製造コストを抑えることができると共に有効内容積を大きく取ることができ、スターリング冷凍機の低温部を十分に断熱することができる冷却庫を提供することを目的とする。
【課題を解決するための手段】
【００１５】
本発明は、冷却対象物を収容する冷却室と、該冷却室と断熱壁で仕切られている機械室とを有するキャビネットと、前記機械室に配設されるスターリング冷凍機と、前記スターリング冷凍機の低温部に接続され、該低温部で発生する冷熱を蒸発器に搬送する二次冷媒循環回路とを有しており、前記低温部と、該低温部と熱交換し前記二次冷媒循環回路を構成する凝縮器とを、前記キャビネットを構成する断熱層にて断熱したことを特徴とする。
【００１６】
この構成によると、前記スターリング冷凍機の低温部と前記凝縮器とを前記キャビネットを構成する断熱層にて断熱することにより、低温部および凝縮器を断熱する断熱部材を別途設けるものに比べて、構造が簡単で設計の自由度が上がり、前記断熱部材が占める空間に相当する冷却庫内容積の拡大が望める。
【００１７】
更に具体的には、前記低温部と前記凝縮器とを、発泡性の断熱材を一体発泡して成型される前記キャビネットの断熱層内部に埋設したことを特徴とする。
【００１８】
この構成によると、前記低温部と前記凝縮器とが発泡性の断熱材を一体発泡して成型されたキャビネットの断熱層に埋設されていることにより、低温部と凝縮器の熱交換効率が向上する。また、前記断熱層が低温部および凝縮器に密着するため無駄な空間を必要としない分だけ冷却庫内容積の拡大が望める上、その無駄な空間に氷ができるという不具合が解消できる。
【００１９】
一方、前記低温部と凝縮器とを空気層を介して断熱するものにおいて、前記スターリング冷凍機が貫いている部分には吸振性を有するシール部材が取り付けられていることを特徴とする。
【００２０】
この構成によると、前記スターリング冷凍機の駆動による振動が断熱層を介してキャビネットに伝播するのを防止できる。
【００２１】
そして、前記スターリング冷凍機が前記キャビネットの断熱層を貫いている部分または近傍には加熱手段が設置されていることを特徴とする。
【００２２】
この構成によると、前記スターリング冷凍機が前記キャビネットの断熱層を貫いている部分が発露するのを防止できる。
【００２３】
前記加熱手段は前記スターリング冷凍機の高温部と熱交換する熱交換器であることを特徴とする。
【００２４】
この構成によると、スターリング冷凍機の高温部の温熱を利用して発露防止を行うので電気ヒータを利用するのに比べて省エネが図れる。
【発明の効果】
【００２５】
本発明によると、低温部および凝縮器を断熱する断熱部材を別途設けるものに比べて、構造が簡単で設計の自由度が上がり、前記断熱部材が占める空間に相当する冷却庫内容積の拡大を図ることができる。
【発明を実施するための最良の形態】
【００２６】
以下に本発明を実施するための最良の形態を図面を参照して説明する。図１に本発明にかかる冷却庫の断面図を、図２に図１に示す冷却庫の側断面図を、図３に図１に示す冷却庫の水平断面図を示す。図２及び図３に示す断面図では冷却庫の扉を省略している。図１及び図２に示すように冷却庫Ａはキャビネット１と、スターリング冷凍機２と、二次冷媒循環回路３と、高温側冷媒循環回路４とを有している。
【００２７】
キャビネット１は第１の冷却室１１と、第２の冷却室１２と、スターリング冷凍機２を配置する機械室１３とを有している。第１の冷却室１１は第２の冷却室１２の上方に配置されており、第１の冷却室１１の冷却設定温度は第２の冷却室１２の冷却設定温度よりも高い。第１の冷却室１１の壁面１１１及び第２の冷却室１２の壁面１２１は冷熱が外部に逃げるのを防止するため断熱能力が高くなるように形成されている。また、第１の冷却室１１と第２の冷却室１２の境界も高い断熱性を有する断熱壁１４及び着脱可能の仕切壁１５で仕切られている。また、仕切壁１５の一部には第１の冷却室１１と第２の冷却室１２の内部の空気が互いに流動することができるように連絡孔１５１が設けられている（図３参照）。
【００２８】
また、第１の冷却室１１及び第２の冷却室１２と機械室１３との間には高い断熱性を有する隔離壁１６が備えられており、第１の冷却室１１及び第２の冷却室１２の冷熱が機械室１３へ壁面を伝導して逃げるのを防いでいる。また、第２の冷却室１２の背面側には後述の二次冷媒循環回路３の蒸発器３２を配置する蒸発器収容室１７が備えられている。
【００２９】
スターリング冷凍機２は冷熱を発生する低温部２１と、温熱を発生する高温部２２とを有している。低温部２１には冷熱を搬送する二次冷媒循環回路３が接続しており、高温部２２には温熱を搬送する高温側冷媒循環回路４が接続している。スターリング冷凍機２は防振部材１３１を介して機械室１３に設置される。
【００３０】
図１及び図２に示すとおり、二次冷媒循環回路３は凝縮器３１と、蒸発器３２と、冷媒配管３３とを有している。蒸発器３２は凝縮器３１の下方に配置されている。二次冷媒循環回路３は凝縮器３１と蒸発器３２を冷媒配管３３で接続し内部に二次冷媒を封入することでサーモサイフォンを形成している。凝縮器３１は低温部２１に接触配置されており、それには限定されないがここでは、低温部２１に巻きつけられる管体である。蒸発器３２は第２の冷却室１２に隣接して設けられた蒸発器収容室１７内に配置されている。蒸発器３２はそれには限定されないがここでは、蛇行した蒸発配管３２１と蒸発配管３２１に接触配置される熱交換フィン３２２を有している。熱交換フィン３２２を取り付けることで熱交換を行う面積を大きくすることができ、それだけ、熱交換能力を高めることができる。
【００３１】
蒸発器収容室１７は第２の冷却室１２と連通している。蒸発器収容室１７には図示を省略した空気循環用のファンが取り付けられており、第２の冷却室１２に蒸発器３２にて冷やされた冷気を送り、第２の冷却室１２で熱交換することで第２の冷却室１２内部の空気を冷却する。
【００３２】
二次冷媒循環回路３において、二次冷媒は凝縮器３１でスターリング冷凍機２の低温部２１で発生する冷熱にて冷却、凝縮されて液体に相変化する。液体に相変化した二次冷媒は冷媒配管３３を流下し蒸発器３２に流入する。二次冷媒は蒸発器３２にて蒸発器収容室１７内部の空気と熱交換して蒸発し、蒸発器収容室１７内部の空気より気化熱を奪うことで冷却する。蒸発した二次冷媒は高温の蒸気が上昇する現象と、液体から気体に相変化するとき及び液体の二次冷媒が流下するときの圧力差によって冷媒配管内部を上昇し、凝縮器３１に流入する。このことを繰り返すことで、二次冷媒は二次冷媒循環回路３内を循環することができる。
【００３３】
図１及び図３に示すとおりスターリング冷凍機２の低温部２１、低温部２１に接触配置されている二次冷媒循環回路３の凝縮器３１及び凝縮器３１に接続する冷媒配管３３の一部が冷却庫Ａの断熱壁１４の内部に埋設されている。また、スターリング冷凍機２の低温部２１以外の部分は機械室１３内部に配置されている。
【００３４】
このことより、スターリング冷凍機２の低温部２１が高い断熱能力を有する断熱壁１４の断熱層にて覆われているので十分な断熱が行われ、高温部２２より発生する温熱の影響を防ぐことができると共に、発露を防止することができる。また、断熱壁１４の内部に低温部２１及び凝縮器３１を埋設するので、図８に示す従来例のように低温部２１のみを断熱するための断熱部材を設ける必要がない。それだけ、冷却庫の構成部材を減らすことができ、製作コストを抑えるとともに、第１の冷却室１１及び（又は）第２の冷却室１２の冷却空間を広くすることができる。
【００３５】
断熱壁１４の断熱層としてそれには限定されないが発泡性の断熱材（例えば、発泡ウレタン等）を挙げることができる。発泡性の断熱材を用いることで、低温部２１、凝縮器３１及び冷媒配管３３の一部又は全てを組みたて、冷却庫Ａ内部に設置した状態で発泡し、低温部２１、凝縮器３１及び冷媒配管３３の一部を断熱壁１４に埋設することができる。また、低温部２１、凝縮器３１及び冷媒配管３３の一部を埋設する断熱層として断熱壁１４の断熱層を例示しているが、それに限定されるものではなく、キャビネット１の壁面や隔離壁１６の断熱層等、低温部２１と高温部２２との間を十分に断熱できる断熱層を有するものを広く採用することができる。
【００３６】
二次冷媒が凝縮器３１、蒸発器３２で相変化しながら循環し低温部２１で発生した冷熱を搬送することで、蒸発器収容室１７の空気を冷却することができる。蒸発器収容室１７内部の冷却された空気を蒸発器収容室１７と第２の冷却室１２の間を循環させることで第２の冷却室１２を冷却することができる。冷却された空気の一部が連絡孔１５１を流動し、第１の冷却室１１内を循環することで第１の冷却室１１を冷却することができる。蒸発器により冷却された冷気は第２の冷却室１２で熱交換することで昇温され、昇温された冷気は上昇し連絡孔１５１を通って第１の冷却室１１に流入し、第１の冷却室１１は第２の冷却室１２よりも高い温度になるように冷却される。
【００３７】
高温側冷媒循環回路４は、二次冷媒循環回路３と同様の構成を有している。すなわち、高温側蒸発器４１、高温側凝縮器４２及び高温側冷媒配管４３を有している。高温側蒸発器４１はスターリング冷凍機２の高温部２２に接触配置されている。また、高温側凝縮器４２はそれには限定されないがここでは、第１の冷却室１１の背面に設けられた放熱室１８に配置されている。放熱室１８には冷却庫Ａの外部の空気が流入するように形成されている。
【００３８】
図２に示すように高温側蒸発器４１は高温側凝縮器４２の下方に配置されている。高温側蒸発器４１と高温側凝縮器４２を高温側冷媒配管４３で接続し冷媒を封入することで、自然循環型のサーモサイフォンを形成している。
【００３９】
高温側冷媒循環回路４において、冷媒は高温側蒸発器４１内でスターリング冷凍機２の高温部２２で発生する温熱を吸収し、加熱されて蒸発する。蒸発した冷媒は高温側冷媒配管４３内を上昇し高温側凝縮器４２に流入する。高温側凝縮器４２に流入した冷媒は冷却庫Ａの外部の空気と熱交換し冷却され、凝縮されて液体になる。液体の冷媒は高温側冷媒配管４３を流下し高温側蒸発器４１に流入する。これを繰り返すことで高温側冷媒循環回路４は内部に冷媒を循環させ、スターリング冷凍機２の高温部２２で発生する温熱を冷却庫Ａの外部に放出することができる。
【００４０】
図４に本発明にかかる冷却庫の他の例の断面図を、図５に図４に示す冷却庫の水平断面図を示す。図４、５に示す冷却庫Ｂは機械室１３ｂ、断熱壁１４ｂ、蒸発器収容室１７ｂ、第１の冷却室１１ｂ及び第２の冷却室１２ｂが異なる以外は図１に示す冷却庫Ａと同一であり、実質上同一の部分には同一の符号が付してある。
【００４１】
図４、５に示す冷却庫Ｂはスターリング冷凍機２の低温部２１で発生する冷熱を二次冷媒循環回路３にて第２の冷却室１２ｂに搬送するものであり、スターリング冷凍機２の高温部２２で発生する温熱を高温側冷媒循環回路４を用いて冷却庫Ｂの外部に放出するものである。
【００４２】
図４、５に示す冷却庫Ｂの断熱壁１４ｂは内部に空間１４１ｂを有している。空間１４１ｂと機械室１３ｂは断熱壁１４ｂの一部である隔壁１４２ｂで分離されている。隔壁１４２ｂには貫通孔１４３ｂが形成されている。機械室１３ｂにはスターリング冷凍機２が配置されており、隔壁１４３ｂを挟んで空間１４１ｂ内に低温部２１が、機械室１３ｂ内に高温部２２が配置されている。
【００４３】
上述のとおり隔壁１４２ｂは断熱壁１４ｂの一部を形成しているものであり、隔壁１４２ｂを隔てて配置される低温部２１及び高温部２２は互いに十分に断熱される。低温部２１と高温部２２が十分に断熱されることで、発露を防止することが可能である。また、低温部２１で発生する冷熱が高温部２２で発生する温熱によって暖められるのを防止することができるので、それだけ、冷却庫Ｂの第１の冷却室１１ｂ及び（又は）第２の冷却室１２ｂを冷却する冷却能力が低下するのを防止することができる。
【００４４】
図６に図５に示す冷却庫の隔壁を拡大した断面図を示す。図６に示す隔壁１４２ｂのように、隔壁１４２ｂに設けられた貫通孔１４３ｂとスターリング冷凍機２の間に間隙１４４ｂが形成されている場合、間隙１４４ｂにシール部材１４５ｂを配置して空間１４１ｂと機械室１３ｂとを気密に分離する。シール部材１４５ｂは高い断熱性を有している。間隙１４４ｂにシール部材１４５ｂを配置することで、低温部２１で冷却された空気が機械室１３ｂ内部に流入するのを防ぐことができる。また、シール部材１４５ｂが高い断熱性を有していることと、冷却された空気が機械室１３ｂに流入するのを防ぐので発露を防止することができる。
【００４５】
シール部材１４５ｂは断熱性を有していると共に吸振性を有していてもよい。シール部材１４５ｂの吸振性により、スターリング冷凍機２の駆動時における振動を吸収することができる。これにより、スターリング冷凍機２の振動が冷却庫Ｂのキャビネット１ｂに伝播するのを低減することができ、振動による騒音、疲労破壊等の不具合の発生を低減することができる。
【００４６】
図７に示すように隔壁の厚さｔが発露しないための十分な厚さを確保できない場合、換言すると隔壁１４６ｂが十分な断熱能力を有していない場合、隔壁１４６ｂの貫通孔１４７ｂの部分に発露防止用のヒータ１４８ｂを備えていてもよい。また、ヒータ１４８ｂは貫通孔１４７ｂに設けられているがそれに限定されるものではなく、貫通孔１４７ｂの近傍で発露防止の効果を得ることができる場所を広く採用することができる。また、ヒータ１４８ｂは隔壁１４６ｂではなく、スターリング冷凍機２の隔壁１４６ｂを貫通する部分２４及び（又は）その近傍に取り付けられていてもよい。
【００４７】
ヒータ１４８ｂとして電気を熱源とする電気ヒータを例示することができる。また、それに限定されるものではなく、隔壁１４６ｂを発露しない程度に加熱することができるものを広く採用することができる。スターリング冷凍機２の高温部２２の温熱を搬送し、その温熱にて隔壁を加熱するものであってもよい。
【００４８】
上記実施例では第１の冷却室１１（又は１１ｂ）及び第２の冷却室１２（又は１２ｂ）を有する冷却庫Ａ（又はＢ）を有するものを例に説明してきたが、それに限定されるものではなく、冷却室が１個のもの又は２個以上のものについても同様の構造を採用することができる。また、スターリング冷凍機の配置方向は上記例では横方向であるがそれに限定されるものではなく、スターリング冷凍機の動作を妨げず、冷却室の邪魔にならない配置方向を広く採用することができる。
【００４９】
また、上述の各実施例では第１の冷却室と第２の冷却室とを分割する断熱壁の内部にスターリング冷凍機の低温部を埋設するものを例示しているが、それに限定されるものではなく、冷却庫に配置される断熱層であって、低温部の冷熱が逃げるのを防止することができるものを広く採用することができる。
【図面の簡単な説明】
【００５０】
【図１】本発明にかかる冷却庫の一例の断面図である。
【図２】図１に示す冷却庫の側断面図である。
【図３】図１に示す冷却庫の水平断面図である。
【図４】本発明にかかる冷却庫の他の例の断面図である。
【図５】図４に示す冷却庫の水平断面図である。
【図６】図５に示す貫通孔の拡大断面図である。
【図７】本発明にかかる冷却庫のさらに他の例の水平断面図である。
【図８】従来の冷却庫の一例の断面図である。
【符号の説明】
【００５１】
１  キャビネット
１１、１１ｂ  第１の冷却室
１２、１２ｂ  第２の冷却室
１３、１３ｂ  機械室
１４、１４ｂ  断熱壁
１４１ｂ  空間
１４２ｂ  隔壁
１４３ｂ  貫通孔
１４４ｂ  間隙
１４５ｂ  シール部材
１４６ｂ  隔壁
１４７ｂ  貫通孔
１４８ｂ  ヒータ
１５  仕切壁
１６  隔離壁
１７  蒸発器収容室
１８  放熱室
２  スターリング冷凍機
２１  低温部
２２  高温部
３  二次冷媒循環回路
３１  凝縮器
３２  蒸発器
３３  冷媒配管
４  高温側冷媒循環回路
４１  高温側蒸発器
４２  高温側凝縮器
４４  高温側冷媒配管
Ａ、Ｂ  冷却庫
【図１】
2005308359.tif 000003
【図２】
2005308359.tif 000004
【図３】
2005308359.tif 000005
【図４】
2005308359.tif 000006
【図５】
2005308359.tif 000007
【図６】
2005308359.tif 000008
【図７】
2005308359.tif 000009
【図８】
2005308359.tif 000010